【事件の表示】
　特許第２７６５００７号「液晶駆動方法」の特許に対する特許異議の申立てについて、次のとおり決定する。
【結論】
　訂正を認める。
　特許第２７６５００７号の特許を維持する。
【理由】
１．手続の経緯
　本件特許第２７６５００７号の特許請求の範囲の請求項１に係る発明は、平成１年２月２８日に特許出願され、平成１０年４月３日に登録設定され、その後、特許異議の申立がなされ、取消理由通知がなされ、その指定期間である平成１０年１２月１１日に訂正請求がなされたものである。
２．訂正の適否についての判断
　ア．訂正の内容
　▲１▼訂正事項ａ
　請求項１を次に示すように訂正する。
「（ａ）液晶の各画素の部分を第１の表示状態又は第２の表示状態に設定する際に、対応する駆動電極に与える駆動信号について、１フイールドの期間を選択期間及び非選択期間に分割し、上記各駆動電極に順次上記選択期間を割り当てるようにした液晶表示装置のマトリクス駆動方法において、
　（ｂ）上記選択期間を初期化期間及び表示状態選択期間に分割し、
　（ｃ）上記各画素を第１の表示状態に設定するとき、第１番目のフイールドにおいて、上記初期化期間の間、第１の駆動電圧Ｖー及び第２の駆動電圧Ｖ３に基づいて液晶の第１のしきい値電圧ＶＴＨ以上の値にまで立ち上がる駆動電圧（Ｖ１−Ｖ３）を上記駆動電極に印加することにより、上記液晶の当該駆動電極に対応する部分の表示状態を上記第１の表示状態に初期化した後、続く上記表示状態選択期間の間、上記第２の駆動電圧Ｖ３及び第３の駆動電圧Ｖ２に基づいて上記初期化期間とは逆方向にかつ上記液晶の第２のしきい値電圧−ＶＴＨ以上の値にまで立ち下がる駆動電圧−（Ｖ２−Ｖ３）を上記駆動電極に印加することにより、当該印加された駆動電圧−（Ｖ２−Ｖ３）に応じて上記液晶の表示状態を上記第１の表示状態を維持するように選択し、上記第１番目のフイールドに続く第２番目のフイールドにおいて、上記第１番目のフィールドの初期化期間で印加した上記駆動電圧（Ｖ１−Ｖ３）と逆極性にかつ上記液晶の第２のしきい値電圧−ＶＴＨ以下の値にまで立ち下がる駆動電圧−（Ｖ１＋Ｖ３）を上記駆動電極に印加することにより、上記液晶の当該駆動電極に対応する部分の表示状態を上記第２の表示状態に初期化した後、続く上記表示状態選択期間の間、上記第２の駆動電圧Ｖ３及び上記第３の駆動電圧Ｖ２に基づいて上記初期化期間と逆方向にかつ上記第１のしきい値電圧ＶＴＨ以上の値にまで立ち上がる駆動電圧（Ｖ２＋Ｖ３）を上記駆動電極に印加することにより、当該印加された駆動電圧（Ｖ２＋Ｖ３）に応じて上記液晶の表示状態を上記第１の表示状態を維持するように選択すると共に、
　上記第１番目のフィールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
　（ｄ）又は、各画素を上記第２の表示状態に設定するとき、第１番目のフイールドにおいて、上記初期化期間の間、上記第１の駆動電圧Ｖ，及び上記第２の駆動電圧Ｖ３に基づいて液晶の第１のしきい値電圧ＶＴＨ以上の値にまで立ち上がる駆動電圧（Ｖ１＋Ｖ３）を上記駆動電極に印加することにより、上記液晶の当該駆動電極に対応する部分の表示状態を上記第１の表示状態に初期化した後、続く上記表示状態選択期間の間、上記第２の駆動電圧Ｖ３及び上記第３の駆動電圧Ｖ２に基づいて上記初期化期間とは逆方向にかつ上記液晶の上記第２のしきい値電圧−ＶＴＨ以下に立ち下がる駆動電圧−（Ｖ２＋Ｖ３）を上記駆動電極に印加することにより、当該印加された駆動電圧−（Ｖ２＋Ｖ３）に応じて上記液晶の表示状態を上記第２の表示状態を維持するように選択し、上記第１番目のフイールドに続く第２番目のフイールドにおいて、上記第１番目のフイールドの初期化期間で印加した上記駆動電圧（Ｖ１＋Ｖ３）と逆極性にかつ上記液晶の第２のしきい値電圧−ＶＴＨ以下の値にまで立ち下がる駆動電圧−（Ｖ１−Ｖ３）を上記駆動電極に印加することにより、上記液晶の当該駆動電極に対応する部分の表示状態を上記第２の表示状態に初期化した後、続く上記表示状態選択期間の間、上記第２の駆動電圧Ｖ３及び上記第３の駆動電圧Ｖ２に基づいて上記初期化期間とは逆方向にかつ上記第１のしきい値電圧ＶＴＨ以下の値にまで立ち上がる駆動電圧（Ｖ２−Ｖ３）を上記駆動電極に印加することにより、当該印加された駆動電圧（Ｖ２−Ｖ３）に応じて上記液晶の表示状態を上記第１の表示状態を維持するように選択すると共に、上記第１番目のフイールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
　（ｅ）これにより、上記各画素を上記第１の表示状態又は上記第２の表示状態に設定するとき、それぞれ上記第１及び第２のフイールドの範囲で、印加電圧の直流レベルを打ち消し合うようにしたことを特徴とする液晶駆動方法。」
　▲２▼訂正事項ｂ
　本件特許明細書の「問題点を解決するための手段」の欄を次に示すように訂正する。
「Ｅ問題点を解決するための手段
　かかる問題点を解決するため本発明においては、液晶の各画素の部分を第１の表示状態（「明」状態）又は第２の表示状態（「暗」状態）に設定する際に、対応する駆動電極Ｘ１、Ｘ２、……、Ｘｋ、……ＸＮ−Ｉ、ＸＮに与える駆動信号について、１フイールドの期間を選択期間ＴＳＥＬ及び非選択期間ＴＮＳＥＬに分割し、各駆動電極に順次選択期間ＴＳＥＬを割り当てるようにした液晶表示装置のマトリクス駆動方法において、選択期間ＴＳＥＬを初期化期間及び表示状態選択期間に分割し、各画素を第１の表示状態（「明」状態）に設定するとき、第１番目のフイールドＴＦ１において、初期化期間の間、第１の駆動電圧Ｖ，及び第２の駆動電圧Ｖ３に基づいて液晶の第１のしきい値電圧ＶＴＨ以上の値にまで立ち上がる駆動電圧（Ｖ１−Ｖ３）を駆動電極に印加することにより液晶の当該駆動電極に対応する部分の表示状態を第１の表示状態（「明」状態）に初期化した後、続く表示状態選択期間の間、第２の駆動電圧Ｖ３及び第３の駆動電圧Ｖ２に基づいて初期化期間とは逆方向にかつ液晶の第２のしきい値電圧−ＶＴＨ以上の値にまで立ち下がる駆動電圧−（Ｖ２−Ｖ３）を駆動電極に印加することにより、当該印加された駆動電圧−（Ｖ２−Ｖ３）に応じて液晶の表示状態を第１の表示状態（「明」状態）を維持するように選択し、第１番目のフィールドＴＦ１に続く第２番目のフイールドＴＦ２において、第１番目のフイールドＴＦ１の初期化期間で印加した駆動電圧（Ｖ１−Ｖ３）と逆極性にかつ液晶の第２のしきい値電圧−ＶＴＨ以下の値にまで立ち下がる駆動電圧−（Ｖ１＋Ｖ３）を駆動電極に印加することにより、液晶の当該駆動電極に対応する部分の表示状態を第２の表示状態（「暗」状態）に初期化した後、続く表示状態選択期間の間、第２の駆動電圧Ｖ３及び第３の駆動電圧Ｖ２に基づいて初期化期間と逆方向にかつ第１のしきい値電圧ＶＴＨ以上の値にまで立ち上がる駆動電圧（Ｖ２＋Ｖ３）を駆動電極に印加することにより、当該印加された駆動電圧（Ｖ２＋Ｖ３）に応じて液晶の表示状態を第１の表示状態（「明」状態）を維持するように選択すると共に、第１番目のフイールドＴＦ１及び第２番目のフイールドＴＦ２の非選択期間ＴＮＳＥＬにおいて上記各画素以外の画素についての初期化期間及び表示状態選択期間ごとに、第２の駆動電圧Ｖ３に基づいて、第１のしきい値電圧ＶＴＨ以下の値の駆動電圧Ｖ３及び第２のしきい値電圧−ＶＴＨ以上の値の駆動電圧−Ｖ３を、その順序で、又はその逆の順序で、駆動電極に印加し、又は、各画素を第２の表示状態（「暗」状態）に設定するとき、第１番目のフイールドＴＦ１において、初期化期間の間、第１の駆動電圧Ｖ１及び第２の駆動電圧Ｖ３に基づいて液晶の第１のしきい値電圧ＶＴＨ以上の値にまで立ち上がる駆動電圧（Ｖ１＋Ｖ３）を駆動電極に印加することにより、液晶の当該駆動電極に対応する部分の表示状態を第１の表示状態（「明」状態）に初期化した後、続く表示状態選択期間の間、第２の駆動電圧Ｖ３及び第３の駆動電圧Ｖ２に基づいて初期化期間とは逆方向にかつ液晶の第２のしきい値電圧−ＶＴＨ以下に立ち下がる駆動電圧−（Ｖ２＋Ｖ３）を駆動電極に印加することにより、当該印加された駆動電圧−（Ｖ２＋Ｖ３）に応じて液晶の表示状態を第２の表示状態（「暗」状態）を維持するように選択し、第１番目のフイールドＴＦ１に続く第２番目のフイールドＴＦ２において、第１番目のフイールドＴＦ１の初期化期間で印加した駆動電圧（Ｖ１＋Ｖ３）と逆極性にかつ液晶の第２のしきい値電圧−ＶＴＨ以下の値にまで立ち下がる駆動電圧−（Ｖ１−Ｖ３）を駆動電極に印加することにより、液晶の当該駆動電極に対応する部分の表示状態を第２の表示状態（「暗」状態）に初期化した後、続く表示状態選択期間の間、第２の駆動電圧Ｖ３及び第３の駆動電圧Ｖ２に基づいて初期化期間とは逆方向にかつ第１のしきい値電圧ＶＴＨ以下の値にまで立ち上がる駆動電圧（Ｖ２−Ｖ３）を駆動電極に印加することにより、当該印加された駆動電圧（Ｖ２−Ｖ３）に応じて液晶の表示状態を第１の表示状態（「明」状態）を維持するように選択すると共に、第１番目のフイールドＴＦ１及び第２番目のフイールドＴＦ２の非選択期間ＴＮＳＥＬにおいて、各画素以外の画素についての初期化期間及び表示状態選択期間ごとに、第２の駆動電圧Ｖ３に基づいて、第１のしきい値電圧ＶＴＨ以下の値の駆動電圧Ｖ３及び第２のしきい値電圧−ＶＴＨ以上の値の駆動電圧−Ｖ３を、その順序で、又はその逆の順序で、駆動電極に印加し、これにより、各画素を第１の表示状態（「明」状態）又は第２の表示状態（「暗」状態）に設定するとき、それぞれ第１番目及び第２番目のフイールドＴＦ１、ＴＦ２の範囲で、印加電圧の直流レベルを打ち消し合うようにする。」
　▲３▼訂正事項ｃ
　本件特許明細書の「発明の効果」の欄を次に示すように訂正する。
「Ｈ発明の効果
　上述のように本発明によれば、連続するフイールドで印加電圧の直流レベルを０レベルに保持するように、第１番目及び第２番目のフイールドで印加電圧の直流レベルを変位させたことにより、選択期間の前半で、表示状態を初期化した後、続く後半で所望の表示状態を選定し得、これにより１フイールドの期間の間で表示画像を書き換えることができ、かくして従来に比して書き換えに要する時間を短縮することができる。」
　イ．訂正の目的の適否、新規事項の有無及び拡張・変更の存否
　上記訂正は、特許請求の範囲の減縮に該当し、新規事項の追加に該当せず、実質的に特許請求の範囲を拡張又は変更するものではない。
　ウ．独立特許要件の判断
　（訂正発明）
「（ａ）液晶の各画素の部分を第１の表示状態又は第２の表示状態に設定する際に、対応する駆動電極に与える駆動信号について、１フイールドの期間を選択期間及び非選択期間に分割し、上記各駆動電極に順次上記選択期間を割り当てるようにした液晶表示装置のマトリクス駆動方法において、
　（ｂ）上記選択期間を初期化期間及び表示状態選択期間に分割し、
　（ｃ）上記各画素を第１の表示状態に設定するとき、第１番目のフイールドにおいて、上記初期化期間の間、第１の駆動電圧Ｖー及び第２の駆動電圧Ｖ３に基づいて液晶の第１のしきい値電圧ＶＴＨ以上の値にまで立ち上がる駆動電圧（Ｖ１−Ｖ３）を上記駆動電極に印加することにより、上記液晶の当該駆動電極に対応する部分の表示状態を上記第１の表示状態に初期化した後、続く上記表示状態選択期間の間、上記第２の駆動電圧Ｖ３及び第３の駆動電圧Ｖ２に基づいて上記初期化期間とは逆方向にかつ上記液晶の第２のしきい値電圧−ＶＴＨ以上の値にまで立ち下がる駆動電圧−（Ｖ２−Ｖ３）を上記駆動電極に印加することにより、当該印加された駆動電圧−（Ｖ２−Ｖ３）に応じて上記液晶の表示状態を上記第１の表示状態を維持するように選択し、上記第１番目のフイールドに続く第２番目のフイールドにおいて、上記第１番目のフイールドの初期化期間で印加した上記駆動電圧（Ｖ１−Ｖ３）と逆極性にかつ上記液晶の第２のしきい値電圧−ＶＴＨ以下の値にまで立ち下がる駆動電圧−（Ｖ１＋Ｖ３）を上記駆動電極に印加することにより、上記液晶の当該駆動電極に対応する部分の表示状態を上記第２の表示状態に初期化した後、続く上記表示状態選択期間の間、上記第２の駆動電圧Ｖ３及び上記第３の駆動電圧Ｖ２に基づいて上記期化期間と逆方向にかつ上記第１のしきい値電圧ＶＴＨ以上の値にまで立ち上がる駆動電圧（Ｖ２＋Ｖ３）を上記駆動電極に印加することにより、当該印加された駆動電圧（Ｖ２＋Ｖ３）に応じて上記液晶の表示状態を上記第１の表示状態を維持するように選択すると共に、
　上記第１番目のフイールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
　（ｄ）又は、各画素を上記第２の表示状態に設定するとき、第１番目のフイールドにおいて、上記初期化期間の間、上記第１の駆動電圧Ｖ，及び上記第２の駆動電圧Ｖ３に基づいて液晶の第１のしきい値電圧ＶＴＨ以上の値にまで立ち上がる駆動電圧（Ｖ１＋Ｖ３）を上記駆動電極に印加することにより、上記液晶の当該駆動電極に対応する部分の表示状態を上記第１の表示状態に初期化した後、続く上記表示状態選択期間の間、上記第２の駆動電圧Ｖ３及び上記第３の駆動電圧Ｖ２に基づいて上記初期化期間とは逆方向にかつ上記液晶の上記第２のしきい値電圧−ＶＴＨ以下に立ち下がる駆動電圧−（Ｖ２＋Ｖ３）を上記駆動電極に印加することにより、当該印加された駆動電圧−（Ｖ２＋Ｖ３）に応じて上記液晶の表示状態を上記第２の表示状態を維持するように選択し、上記第１番目のフイールドに続く第２番目のフイールドにおいて、上記第１番目のフイールドの初期化期間で印加した上記駆動電圧（Ｖ１＋Ｖ３）と逆極性にかつ上記液晶の第２のしきい値電圧−ＶＴＨ以下の値にまで立ち下がる駆動電圧−（Ｖ１−Ｖ３）を上記駆動電極に印加することにより、上記液晶の当該駆動電極に対応する部分の表示状態を上記第２の表示状態に初期化した後、続く上記表示状態選択期間の間、上記第２の駆動電圧Ｖ３及び上記第３の駆動電圧Ｖ２に基づいて上記初期化期間とは逆方向にかつ上記第１のしきい値電圧ＶＴＨ以下の値にまで立ち上がる駆動電圧（Ｖ２−Ｖ３）を上記駆動電極に印加することにより、当該印加された駆動電圧（Ｖ２−Ｖ３）に応じて上記液晶の表示状態を上記第１の表示状態を維持するように選択すると共に、上記第１番目のフイールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
　（ｅ）これにより、上記各画素を上記第１の表示状態又は上記第２の表示状態に設定するとき、それぞれ上記第１及び第２のフイールドの範囲で、印加電圧の直流レベルを打ち消し合うようにしたことを特徴とする液晶駆動方法。」
　（引用刊行物）
　甲第１号証（特開昭６０−１２０３９９号公報）には、その第１頁右下欄第１０行〜第１１行に、
「電気光学素子とは、液晶素子」であると、
　更に、その第３頁左上欄第６行〜下から第２行に、
「第６図に本発明による駆動信号波形を示す。第６図の実線は走査電極信号波形、点線が信号電極信号波形である。駆動信号波形は３つの期間で構成される。従来例と同様の書込み期間Ｗと保持期間Ｈおよび本発明で付加した電荷調整期間Ｒである。走査電極線には、書込み期間には選択信号２９、３２、３５を、保持期間には保持信号３０、３３を従来どうり印加する。信号電極には、画素がオン表示の時にはオン信号３５、３６、３７を印加し、画素がオフ表示の時には、オフ信号３８、３９、４０を従来どうり印加する。新たに電荷調整期間Ｒでは走査電極線に電荷調整選択信号２８、３１、３４を印加し、信号電極線には電荷調整信号４１を印加する。」ということが、それぞれ図面と共に記載されている。
　甲第２号証（特開昭６３−２４９８９７号公報）には、その第２頁右上欄下から第３行〜左下欄第１０行に、
「本発明は２枚の支持平板間の強誘電液晶と、行列配置され、各画素が前記支持平板の対向表面に設けられた画素電極により構成される画素系と、行及び列配置される電極系とを具えている表示装置を駆動させる方法であって、少なくとも１つの画素行をライン選択期間中に行電極を経て選択し、データ信号を列電極を経て供給し、かつライン選択の前に補助信号によって画素行を極端な状態に持たらすようにする表示装置駆動方法に関するものである。
　なお、ここに云う「極端な状態」とは、画素がほぼ完全に透過性となるか、又は非透過性となるような状態のことを意味するものとする。」ということが、
　更に、その第２頁右下欄第５行〜第１２行に、
「冒頭にて述べたタイプの方法は欧州特許出願ＥＰＯ．１９７，２４２号に開示されている。この方法では選択信号と同期させて供給するデータ信号に所謂ブランキングパルスを先行させる。このブランキングパルスは液晶を初期状態に持たらす必要のあるパルスである。強誘電材料が劣化しないようにするために、周期的に用いられるパルスの極性を反転させる。」ということが、
　更に、４頁左下欄１４行〜１７行に、
「本発明による方法では先ず補助信号（”ブランキング”）Ｖｂｌを供給し、この信号を本例では負とし、かつこの信号により画素を透過率がほぼ０の極端な状態にする。」ということが、
　そして更に、その６頁左上欄３行〜同頁右上欄１４行に、
「第６図は本発明による方法を用いる表示装置を概略的に示したものであり、この表示装置は薄膜トランジスタ１５を選択する選択ライン１６と、補助信号及びデータ信号が供給されるデータライン１７との交差箇所に強誘電液晶画素２５のマトリックス２４を具えている。この表示装置の補助信号は、例えば電圧Ｖｂｌを供給する電圧源２６を経て得られる。この補助電圧Ｖｂｌをライン選択期間の或る一部の期間中、例えばライン選択期間の１／２の期間中にマルチプレクサ２７を介して供給し、ライン選択期間の他の半分の期間中にはシフトレジスタ２８からデータライン１７にデータ信号を供給する。データラインにおける電圧の変化とほぼ同時に画素行の選択が変更される。その理由は、マルチプレクサ２９を介して、第１ライン選択回路３０が、補助信号を供給するラインを選択するか、又は第２ライン選択回路３１が書き込むべき画素のラインを選択するからである。ライン選択回路は例えばシフトレジスタ２３とし、これらのシフトレジスタにより各ライン選択期間後につぎのラインを選択し、また書き込むべきラインの選択は、例えば補助信号がこのラインに供給された後に６ライン選択期間にわたり行う。」ということが、それぞれ図面と共に記載されている。
　（対比・判断）
　”液晶の各画素の部分を第１の表示状態又は第２の表示状態に設定する際に、対応する駆動電極に与える駆動信号について、１フイールドの期間を選択期間及び非選択期間に分割し、上記各駆動電極に順次上記選択期間を割り当てるようにした液晶表示装置のマトリクス駆動方法”において、訂正発明の
「（ｂ）上記選択期間を初期化期間及び表示状態選択期間に分割し、
　（ｃ）上記各画素を第１の表示状態に設定するとき、第１番目のフイールドにおいて、上記初期化期間の間、第１の駆動電圧Ｖー及び第２の駆動電圧Ｖ３に基づいて液晶の第１のしきい値電圧ＶＴＨ以上の値にまで立ち上がる駆動電圧（Ｖ１−Ｖ３）を上記駆動電極に印加することにより、上記液晶の当該駆動電極に対応する部分の表示状態を上記第１の表示状態に初期化した後、続く上記表示状態選択期間の間、上記第２の駆動電圧Ｖ３及び第３の駆動電圧Ｖ２に基づいて上記初期期間とは逆方向にかつ上記液晶の第２のしきい値電圧−ＶＴＨ以上の値にまで立ち下がる駆動電圧−（Ｖ２−Ｖ３）を上記駆動電極に印加することにより、当該印加された駆動電圧−（Ｖ２−Ｖ３）に応じて上記液晶の表示状態を上記第１の表示状態を維持するように選択し、上記第１番目のフイールドに続く第２番目のフイールドにおいて、上記第１番目のフイールドの初期化期間で印加した上記駆動電圧（Ｖ１−Ｖ３）と逆極性にかつ上記液晶の第２のしきい値電圧−ＶＴＨ以下の値にまで立ち下がる駆動電圧−（Ｖ１＋Ｖ３）を上記駆動電極に印加することにより、上記液晶の当該駆動電極に対応する部分の表示状態を上記第２の表示状態に初期化した後、続く上記表示状態選択期間の間、上記第２の駆動電圧Ｖ３及び上記第３の駆動電圧Ｖ２に基づいて上記初期化期間と逆方向にかつ上記第１のしきい値電圧ＶＴＨ以上の値にまで立ち上がる駆動電圧（Ｖ２＋Ｖ３）を上記駆動電極に印加することにより、当該印加された駆動電圧（Ｖ２＋Ｖ３）に応じて上記液晶の表示状態を上記第１の表示状態を維持するように選択すると共に、
　上記第１番目のフイールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
　（ｄ）又は、各画素を上記第２の表示状態に設定するとき、第１番目のフイールドにおいて、上記初期化期間の間、上記第１の駆動電圧Ｖ，及び上記第２の駆動電圧Ｖ３に基づいて液晶の第１のしきい値電圧ＶＴＨ以上の値にまで立ち上がる駆動電圧（Ｖ１＋Ｖ３）を上記駆動電極に印加することにより、上記液晶の当該駆動電極に対応する部分の表示状態を上記第１の表示状態に初期化した後、続く上記表示状態選択期間の間、上記第２の駆動電圧Ｖ３及び上記第３の駆動電圧Ｖ２に基づいて上記初期化期間とは逆方向にかつ上記液晶の上記第２のしきい値電圧−ＶＴＨ以下に立ち下がる駆動電圧−（Ｖ２＋Ｖ３）を上記駆動電極に印加することにより、当該印加された駆動電圧−（Ｖ２＋Ｖ３）に応じて上記液晶の表示状態を上記第２の表示状態を維持するように選択し、上記第１番目のフイールドに続く第２番目のフイールドにおいて、上記第１番目のフイールドの初期化期間で印加した上記駆動電圧（Ｖ１＋Ｖ３）と逆極性にかつ上記液晶の第２のしきい値電圧−ＶＴＨ以下の値にまで立ち下がる駆動電圧−（Ｖ１−Ｖ３）を上記駆動電極に印加することにより、上記液晶の当該駆動電極に対応する部分の表示状態を上記第２の表示状態に初期化した後、続く上記表示状態選択期間の間、上記第２の駆動電圧Ｖ３及び上記第３の駆動電圧Ｖ２に基づいて上記初期化期間とは逆方向にかつ上記第１のしきい値電圧ＶＴＨ以下の値にまで立ち上がる駆動電圧（Ｖ２−Ｖ３）を上記駆動電極に印加することにより、当該印加された駆動電圧（Ｖ２−Ｖ３）に応じて上記液晶の表示状態を上記第１の表示状態を維持するように選択すると共に、上記第１番目のフイールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
　（ｅ）これにより、上記各画素を上記第１の表示状態又は上記第２の表示状態に設定するとき、それぞれ上記第１及び第２のフイールドの範囲で、印加電圧の直流レベルを打ち消し合うようにする」ことは、甲第１号証及び甲第２号証の何れにも記載も示唆もされていない。
　そして、訂正発明は上記（ｂ）〜（ｅ）の構成をなすことにより、「選択期間の前半で、表示状態を初期化した後、続く後半で所望の表示状態を選定し得、これにより１フイールドの期間の間で表示画像を書き換えることができ、かくして従来に比して書き換えに要する時間を短縮することができる」という特許明細書に記載の作用効果を呈するものである。
　したがって、訂正発明は、甲第１号証及び甲第２号証に記載の発明に基づいて当業者が容易に発明することができたものとすることができないから、特許法第２９条第２項の規定により特許出願の際独立して特許を受けることができるものである。
３．特許異議申立についての判断
　ア．異議申立の理由の概要
　異議申立人　セイコーエプソン株式会社は、証拠として甲第１号証（特開昭６０−１２０３９９号公報）及び甲第２号証（特開昭６３−２４９８９７号公報）を提出し、本件特許明細書の特許請求の範囲の請求項１に係る発明（以下、「訂正発明」という。）は、前記甲各号証に記載の発明に基づいて当業者が容易に発明することができるものであり、特許法第２９条第２項に違反して特許されたものであるから、その特許は取り消されるべき旨主張している。
　イ．異議申立人が提出した甲各号証に記載の発明
　上記「２．ウ．（引用刊行物）」の記載を参照。
　ウ．訂正発明と異議申立人が提出した甲各号証に記載の発明との対比・判断
　上記「２．ウ．（対比・判断）」の記載を参照。
　したがって、訂正発明は、甲第１号証及び甲第２号証に記載の発明に基づいて当業者が容易に発明することができたものともすることができないから、特許法第２９条第２項に違反して特許されたものとすることができない。
　エ．むすび
　以上のとおり、異議申立の理由及び証拠によっては、訂正発明についての特許を取り消すことができない。
　また、他に訂正発明についての特許を取り消すべき理由を発見しない。
　よって、結論のとおり決定する。
【異議決定日】
平成１１年６月２４日（１９９９．６．２４）
【訂正の要旨】
訂正の要旨
▲１▼訂正事項ａ
　　請求項１において、特許請求の範囲の減縮を目的として、液晶の各画素に対応する駆動電極に与える駆動信号の構成を、訂正箇所にアンダーラインを付して次に示すように、訂正する。
「
（ａ）
液晶の各画素の部分を第１の表示状態又は第２の表示状態に設定する際に、対応する駆動電極に与える駆動信号について、
上記各駆動電極に順次上記選択期間を割り当てる
　
（ｂ）
　
（ｃ）
上記各画素を第１の表示状態に設定するとき、第１番目
の間、第１の駆動電圧Ｖ１及び第２の駆動電圧Ｖ３に基づいて
第１の
ＶＴＨ
の値にまで
駆動
（Ｖ１−Ｖ３）を上記駆動電極に
することにより、
当該駆動電極に対応する部分
上記第１の表示状態に
　　続く
上記
の間、上記第２の駆動電圧Ｖ３及び第３の駆動電圧Ｖ２に基づいて上記
は
かつ上記液晶の第２のしきい値電圧−ＶＴＨ以上の値にまで
駆動
−（Ｖ２−Ｖ３）
上記駆動電極に
することにより、当
された駆動電圧−（Ｖ２−Ｖ３）
上記第１の表示状態を維持するように
　　
上記第１番目のフイールドに
上記第１番目
上記駆動電圧（Ｖ１−Ｖ３）
にかつ
第２の
−ＶＴＨ
の値にまで立ち下がる駆動電圧−（Ｖ１＋Ｖ３）
上記駆動電極に
することにより、
当該駆動電極に対応する部分の
上記第２の表示状態に
　　続く
上記
の間
上記第２の駆動電圧Ｖ３及び上記第３の駆動電圧Ｖ２に基づいて上記
かつ上記第１のしきい値電圧ＶＴＨ以上の値にまで
駆動電圧（Ｖ２＋Ｖ３）
上記駆動電極
することにより、当該印加された駆動電圧（Ｖ２＋Ｖ３）
上記第１の表示状態を維持するように
すると共に、
　　
上記第１番目のフイールド及び上記第２番目のフィールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
　
（ｄ）
又は、各画素を上記第２の表示状態に設定するとき、第１番目のフイールドにおいて、上記初期化期間の間、上記第１の駆動電圧Ｖ１及び上記第２の駆動電圧Ｖ３に基づいて液晶の第１のしきい値電圧ＶＴＨ以上の値にまで立ち上がる駆動電圧（Ｖ１＋Ｖ３）を上記駆動電極に印加することにより、上記液晶の当該駆動電極に対応する部分の表示状態を上記第１の表示状態に初期化した後、
　　
続く上記表示状態選択期間の間、上記第２の駆動電圧Ｖ３及び上記第３の駆動電圧Ｖ２に基づいて上記初期化期間とは逆方向にかつ上記液晶の上記第２のしきい値電圧−ＶＴＨ以下に立ち下がる駆動電圧−（Ｖ２＋Ｖ３）を上記駆動電極に印加することにより、当該印加された駆動電圧−（Ｖ２＋Ｖ３）に応じて上記液晶の表示状態を上記第２の表示状態を維持するように選択し、
　　
上記第１番目のフイールドに続く第２番目のフイールドにおいて、上記第１番目のフイールドの初期化期間で印加した上記駆動電圧（Ｖ１＋Ｖ３）と逆極性にかつ上記液晶の第２のしきい値電圧−ＶＴＨ以下の値にまで立ち下がる駆動電圧−（Ｖ１−Ｖ３）を上記駆動電極に印加することにより、上記液晶の当該駆動電極に対応する部分の表示状態を上記第２の表示状態に初期化した後、
　　
続く上記表示状態選択期間の間、上記第２の駆動電圧Ｖ３及び上記第３の駆動電圧Ｖ２に基づいて上記初期化期間とは逆方向にかつ上記第１のしきい値電圧ＶＴＨ以下の値にまで立ち上がる駆動電圧（Ｖ２−Ｖ３）を上記駆動電極に印加することにより、当該印加された駆動電圧（Ｖ２−Ｖ３）に応じて上記液晶の表示状態を上記第１の表示状態を維持するように選択すると共に、
　　
上記第１番目のフイールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
　
（ｅ）
これにより、上記各画素を上記第１の表示状態又は上記第２の表示状態に設定するとき、それぞれ
の範囲
　　　ことを特徴とする液晶駆動方法。」
▲２▼訂正事項ｂ
　　訂正事項ａの訂正に伴って、本件明細書の「問題点を解決するための手段」の欄を、不明りような記載の釈明を目的として、アンダーラインを付して次に示すように、訂正する。
　「Ｅ問題点を解決するための手段
　　　かかる問題点を解決するため本発明においては、
液晶の各画素の部分を第１の表示状態（「明」状態）又は第２の表示状態（「暗」状態）に設定する際に、対応する駆動電極Ｘ１、Ｘ２、……、Ｘｋ、……ＸＮ−１、ＸＮに与える駆動信号について、
各駆動電極に順次選択期間ＴＳＥＬを割り当てる
各画素を第１の表示状態（「明」状態）に設定するとき、第１番目
の間、第１の駆動電圧Ｖ１及び第２の駆動電圧Ｖ３に基づいて
第１の
ＶＴＨ
の値にまで
駆動
（Ｖ１−Ｖ３）を駆動電極に
することにより、
当該駆動電極に対応する部分
第１の表示状態（「明」状態）に
の間、第２の駆動電圧Ｖ３及び第３の駆動電圧Ｖ２に基づいて
は
かつ液晶の第２のしきい値電圧−ＶＴＨ以上の値にまで
駆動
−（Ｖ２−Ｖ３）
駆動電極に
することにより、当
された駆動電圧−（Ｖ２−Ｖ３）
第１の表示状態（「明」状態）を維持するように
第１番目のフイールドＴＦ１に続く第２番目のフイールドＴＦ２
第１番目
駆動電圧（Ｖ１−Ｖ３）
にかつ
第２の
−ＶＴＨ
の値にまで立ち下がる駆動電圧−（Ｖ１＋Ｖ３）
駆動電極に
することにより、
当該駆動電極に対応する部分の
第２の表示状態（「暗」状態）に
の間
第２の駆動電圧Ｖ３及び第３の駆動電圧Ｖ２に基づいて
かつ第１のしきい値電圧ＶＴＨ以上の値にまで
駆動電圧（Ｖ２＋Ｖ３）
駆動電極
することにより、当該印加された駆動電圧（Ｖ２＋Ｖ３）
第１の表示状態（「明」状態）を維持するように
すると共に、第１番目のフイールドＴＦ１及び第２番目のフイールドＴＦ２の非選択期間ＴＮＳＥＬにおいて、上記各画素以外の画素についての初期化期間及び表示状態選択期間ごとに、第２の駆動電圧Ｖ３に基づいて、第１のしきい値電圧ＶＴＨ以下の値の駆動電圧Ｖ３及び第２のしきい値電圧−ＶＴＨ以上の値の駆動電圧−Ｖ３を、その順序で、又はその逆の順序で、駆動電極に印加し、又は、各画素を第２の表示状態（「暗」状態）に設定するとき、第１番目のフィールドＴＦ１において、初期化期間の間、第１の駆動電圧Ｖ１及び第２の駆動電圧Ｖ３に基づいて液晶の第１のしきい値電圧ＶＴＨ以上の値にまで立ち上がる駆動電圧（Ｖ１＋Ｖ３）を駆動電極に印加することにより、液晶の当該駆動電極に対応する部分の表示状態を第１の表示状態（「明」状態）に初期化した後、続く表示状態選択期間の間、第２の駆動電圧Ｖ３及び第３の駆動電圧Ｖ２に基づいて初期化期間とは逆方向にかつ液晶の第２のしきい値電圧−ＶＴＨ以下に立ち下がる駆動電圧−（Ｖ２＋Ｖ３）を駆動電極に印加することにより、当該印加された駆動電圧−（Ｖ２＋Ｖ３）に応じて液晶の表示状態を第２の表示状態（「暗」状態）を維持するように選択し、第１番目のフイールドＴＦ１に続く第２番目のフイールドＴＦ２において、第１番目のフイールドＴＦ１の初期化期間で印加した駆動電圧（Ｖ１＋Ｖ３）と逆極性にかつ液晶の第２のしきい値電圧−ＶＴＨ以下の値にまで立ち下がる駆動電圧−（Ｖ１−Ｖ３）を駆動電極に印加することにより、液晶の当該駆動電極に対応する部分の表示状態を第２の表示状態（「暗」状態）に初期化した後、続く表示状態選択期間の間、第２の駆動電圧Ｖ３及び第３の駆動電圧Ｖ２に基づいて初期化期間とは逆方向にかつ第１のしきい値電圧ＶＴＨ以下の値にまで立ち上がる駆動電圧（Ｖ２−Ｖ３）を駆動電極に印加することにより、当該印加された駆動電圧（Ｖ２−Ｖ３）に応じて液晶の表示状態を第１の表示状態（「明」状態）を維持するように選択すると共に、第１番目のフイールドＴＦ１及び第２番目のフイールドＴＦ２の非選択期間ＴＮＳＥＬにおいて、各画素以外の画素についての初期化期間及び表示状態選択期間ごとに、第２の駆動電圧Ｖ３に基づいて、第１のしきい値電圧ＶＴＨ以下の値の駆動電圧Ｖ３及び第２のしきい値電圧−ＶＴＨ以上の値の駆動電圧−Ｖ３を、その順序で、又はその逆の順序で、駆動電極に印加し、これにより、各画素を第１の表示状態（「明」状態）又は第２の表示状態（「暗」状態）に設定するとき、それぞれ
番目
番目
の範囲
▲３▼訂正事項ｃ
　　訂正事項ａの訂正に伴って、本件明細書の「発明の効果」の欄を、不明りような記載の釈明を目的として、アンダーラインを付して次に示すように、訂正する。
　「Ｈ発明の効果
　　上述のように本発明によれば、連続するフイールドで印加電圧の直流レベルを０レベルに保持するように、第１
番目
番目
（５４）【発明の名称】
液晶駆動方法
（５７）【特許請求の範囲】
【請求項１】
（ａ）
液晶の各画素の部分を第１の表示状態又は第２の表示状態に設定する際に、対応する駆動電極に与える駆動信号について、
上記各駆動電極に順次上記選択期間を割り当てる
（ｂ）
（ｃ）
上記各画素を第１の表示状態に設定するとき、第１番目
の間、第１の駆動電圧Ｖ１及び第２の駆動電圧Ｖ３に基づいて
第１の
ＶＴＨ
の値にまで
駆動
（Ｖ１−Ｖ３）を上記駆動電極に
することにより、
当該駆動電極に対応する部分
上記第１の表示状態に
　　続く
上記
の間、上記第２の駆動電圧Ｖ３及び第３の駆動電圧Ｖ２に基づいて上記
は
かつ上記液晶の第２のしきい値電圧−ＶＴＨ以上の値にまで
駆動
−（Ｖ２−Ｖ３）
上記駆動電極に
することにより、当
された駆動電圧−（Ｖ２−Ｖ３）
上記第１の表示状態を維持するように
　　
上記第１番目のフイールドに
上記第１番目
上記駆動電圧（Ｖ１−Ｖ３）
にかつ
第２の
−ＶＴＨ
の値にまで立ち下がる駆動電圧−（Ｖ１＋Ｖ３）
上記駆動電極に
することにより、
当該駆動電極に対応する部分の
上記第２の表示状態に
　　続く
上記
の間
上記第２の駆動電圧Ｖ３及び上記第３の駆動電圧Ｖ２に基づいて上記
かつ上記第１のしきい値電圧ＶＴＨ以上の値にまで
駆動電圧（Ｖ２＋Ｖ３）
上記駆動電極
することにより、当該印加された駆動電圧（Ｖ２＋Ｖ３）
上記第１の表示状態を維持するように
すると共に、
　　
上記第１番目のフイールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
（ｄ）
又は、各画素を上記第２の表示状態に設定するとき、第１番目のフイールドにおいて、上記初期化期間の間、上記第１の駆動電圧Ｖ１及び上記第２の駆動電圧Ｖ３に基づいて液晶の第１のしきい値電圧ＶＴＨ以上の値にまで立ち上がる駆動電圧（Ｖ１＋Ｖ３）を上記駆動電極に印加することにより、上記液晶の当該駆動電極に対応する部分の表示状態を上記第１の表示状態に初期化した後、
　　
続く上記表示状態選択期間の間、上記第２の駆動電圧Ｖ３及び上記第３の駆動電圧Ｖ２に基づいて上記初期化期間とは逆方向にかつ上記液晶の上記第２のしきい値電圧−ＶＴＨ以下に立ち下がる駆動電圧−（Ｖ２＋Ｖ３）を上記駆動電極に印加することにより、当該印加された駆動電圧−（Ｖ２＋Ｖ３）に応じて上記液晶の表示状態を上記第２の表示状態を維持するように選択し、
　　
上記第１番目のフイールドに続く第２番目のフイールドにおいて、上記第１番目のフイールドの初期化期間で印加した上記駆動電圧（Ｖ１＋Ｖ３）と逆極性にかつ上記液晶の第２のしきい値電圧−ＶＴＨ以下の値にまで立ち下がる駆動電圧−（Ｖ１−Ｖ３）を上記駆動電極に印加することにより、上記液晶の当該駆動電極に対応する部分の表示状態を上記第２の表示状態に初期化した後、
　　
続く上記表示状態選択期間の間、上記第２の駆動電圧Ｖ３及び上記第３の駆動電圧Ｖ２に基づいて上記初期化期間とは逆方向にかつ上記第１のしきい値電圧ＶＴＨ以下の値にまで立ち上がる駆動電圧（Ｖ２−Ｖ３）を上記駆動電極に印加することにより、当該印加された駆動電圧（Ｖ２−Ｖ３）に応じて上記液晶の表示状態を上記第１の表示状態を維持するように選択すると共に、
　　
上記第１番目のフイールド及び上記第２番目のフイールドの上記非選択期間において、上記各画素以外の画素についての上記初期化期間及び上記表示状態選択期間ごとに、上記第２の駆動電圧Ｖ３に基づいて、上記第１のしきい値電圧ＶＴＨ以下の値の駆動電圧Ｖ３及び上記第２のしきい値電圧−ＶＴＨ以上の値の駆動電圧−Ｖ３を、その順序で、又はその逆の順序で、上記駆動電極に印加し、
（ｅ）
これにより、上記各画素を上記第１の表示状態又は上記第２の表示状態に設定するとき、それぞれ
番目
番目
の範囲
　　ことを特徴とする液晶駆動方法。
【発明の詳細な説明】
　以下の順序で本発明を説明する。
Ａ産業上の利用分野
Ｂ発明の概要
Ｃ従来の技術（第４図〜第６図）
Ｄ発明が解決しようとする問題点（第４図〜第６　図）
Ｅ問題点を解決するための手段（第１図〜第３図）
Ｆ作用（第１図〜第３図）
Ｇ実施例（第１図〜第３図）
Ｈ発明の効果
Ａ産業上の利用分野
　本発明は液晶駆動方法に関し、特に強誘電体液晶を用いたマトリクス駆動の液晶表示装置に適用して好適なものである。
Ｂ発明の概要
　本発明は、液晶駆動方法において、連続する２つのフイールドにおいて、印加電圧の直流レベルを打ち消すことにより、従来に比して表示に要する時間を短縮することができる。
Ｃ従来の技術
　従来、マトリクス駆動の液晶表示装置においては、強誘電体液晶を用いるようになされたものがある。
　すなわち第４図に示すように、液晶表示素子１においては、ガラス基板（図示せず）の対向面上に、ストライプ状の透明電極Ｘ１、Ｘ２、……、ＸＫ、……、ＸＮ−１、ＸＮ及びＹ１、Ｙ２、……、ＹＩ、……、ＹＪ、……、ＹＭ−１、ＹＭが、強誘電体液晶を間に挟んで直交するように形成される。
　さらにガラス基板の上下に偏光板が配置されるようになされ、これにより透明電極Ｘ１、Ｘ２、……、ＸＫ、……、ＸＮ−１、ＸＮ及びＹ１、Ｙ２、……、ＹＩ、……、ＹＪ、……、ＹＭ−１、ＹＭに所定の電圧を印加して、強誘電体液晶の配列状態を変化させることにより、透明電極Ｘ１、Ｘ２、……、ＸＫ、……、ＸＮ−１、ＸＮ及びＹ１、Ｙ２、……、ＹＩ、……、ＹＪ、……、ＹＭ−１、ＹＭの交差部分を画素……、ＧＸＫ，ＹＩ、……、ＧＸＫ，ＹＪにした表示画像を形成するようになされている。
　すなわち横方向に延長する透明電極（以下走査電極と呼ぶ）においては、１フイールドの期間ＴＦを走査電極Ｘ１、Ｘ２、……、ＸＫ、……、ＸＮ−１、ＸＮの数で分割し、分割された微小期間で順次走査電極Ｘ１、Ｘ２、……、ＸＫ、……、ＸＮ−１、ＸＮを選択する。
　ここで第５図に示すように、それぞれ走査電極Ｘ１、Ｘ２、……、ＸＫ、……、ＸＮ−１、ＸＮが選択される期間を選択期間ＴＳＥＬと定義し、各走査電極Ｘ１、Ｘ２、……、ＸＫ……、ＸＮ−１、ＸＮの駆動信号ＳＸｉ、ＳＸｉ＋１、ＳＸｉ＋２、……（第５図（Ａ１）、（Ａ２）、（Ａ３））においては、当該選択期間ＴＳＥＬに選択信号ＳＳＥＬを印加し、残りの微小期間（以下非選択期間ＴＮＳＥＬと呼ぶ）に非選択信号ＳＮＳＥＬを印加する。
　これに対して、縦方向に延長する透明電極Ｙ１、Ｙ２、……、ＹＩ、……、ＹＪ、……、ＹＭ−１、ＹＭ（以下信号電極と呼ぶ）においては、選択期間ＴＳＥＬにおいて、各走査電極Ｘ１、Ｘ２、……、ＸＫ、……、ＸＮ−１、ＸＮ上の画素の明暗に応じてオン信号ＳＯＮ又はオフ信号ＳＯＦＦを割当て、駆動信号ＳＹｊ、ＳＹｊ＋１、……（第５図（Ｂ１）及び（Ｂ２））を形成する。
　ところでこの種の強誘電体液晶においては、所定のしきい値電圧を越える電圧を印加すると、表示状態を反転し得る特徴を有し、直流の印加電圧に対して電気分解する特徴を有している。
　従つて例えば２フイールドで１つの表示画像を形成する液晶駆動方法（いわゆる２フイールド法でなる（Ｎａｔｉｏｎａｌ　Ｔｅｃｈｎｉｃａｌ　Ｒｅｐｏｒｔ　Ｖｏｌ．３３　Ｎｏ．１　Ｆｅｂ　１９８７　頁４４〜５０）においては、第６図に示すように、走査電極及び信号電極間の印加電圧が、選択期間ＴＳＥＬ及び非選択期間ＴＮＳＥＬで切り換わり、かつ第１のフイールドと第２のフイールドで極性が反転するように、駆動信号ＳＸｉ、ＳＸｉ＋１、ＳＸｉ＋２、……及び駆動信号ＳＹｊ、ＳＹｊ＋１、……を選定し、これにより印加電圧の直流レベルを０レベルに保持して所望の表示画像を得るようになされている。
　すなわち、非選択期間ＴＮＳＥＬにおいては、しきい値電圧ＶＴＨからしきい値電圧−ＶＴＨの範囲の矩形波信号を印加し、当該非選択期間ＴＮＳＥＬの間の直流レベルを０レベルに保持し、これにより強誘電体液晶の電気分解を未然に防止して明又は暗の表示状態を保持する（第６図（Ａ）及び（Ｂ））。
　これに対して選択期間ＴＳＥＬにおいては、第１のフイールドで、印加電圧が正側のしきい値電圧ＶＴＨを越えて立ち上がった後、負側のしきい値電圧−ＶＴＨを越えて立ち下がるようにし、続く第２のフイールドでしきい値電圧ＶＴＨからしきい値電圧−ＶＴＨの範囲を越えないようにする（第６図（Ａ））。
　これにより、選択期間ＴＳＥＬで直流レベルを０レベルに保持し、強誘電体液晶の電気分解を未然に防止して、第１フイールドで暗の表示状態が形成される。
　これに対して、明の表示状態を形成する場合、第１のフイールドにおいて印加電圧がしきい値電圧ＶＴＨからしきい値電圧−ＶＴＨの範囲を越えないようにし、第２のフイールドで負側のしきい値電圧−ＶＴＨを越えて立ち下がった後、正側のしきい値電圧ＶＴＨを越えて立ち上がるようにする（第６図（Ｂ））。
　これにより選択期間ＴＳＥＬで直流レベルを０レベルに保持し、第２のフイールドで明の表示状態が形成され、かくして線順次走査のマトリクス表示画像が形成される。
Ｄ発明が解決しようとする問題点
　ところで、このように２フイールドで１つの表示画像を形成する場合、１つの表示画像を書き換えるのに２フイールドの期間を要し、その分書き換えの時間が長大になる問題がある。
　この問題を解決するための１つの方法として、各画素……、ＧＸＫ，ＹＩ、……、ＧＸＫ，ＹＪ、……（第４図）毎に、液晶セルを駆動する方法があるが、この場合駆動回路の構成が煩雑になる問題がある。
　本発明は以上の点を考慮してなされたもので、簡易な構成で書き換え時間の短い液晶駆動方法を提案しようとするものである。
Ｅ問題点を解決するための手段
　かかる問題点を解決するため本発明においては、
液晶の各画素の部分を第１の表示状態（「明」状態）又は第２の表示状態（「暗」状態）に設定する際に、対応する駆動電極Ｘ１、Ｘ２、……Ｘｋ、……ＸＮ−１、ＸＮに与える駆動信号について、
各駆動電極に順次選択期間
各画素を第１の表示状態（「明」状態）に設定するとき、第１番目
の間、第１の駆動電圧Ｖ１及び第２の駆動電圧Ｖ３に基づいて
第１の
ＶＴＨ
の値にまで
駆動
（Ｖ１−Ｖ３）を駆動電極に
することにより、
当該駆動電極に対応する部分
第１の表示状態（「明」状態）に
の間、第２の駆動電圧Ｖ３及び第３の駆動電圧Ｖ２に基づいて
は
かつ液晶の第２のしきい値電圧−ＶＴＨ以上の値にまで
駆動
−（Ｖ２−Ｖ３）
駆動電極に
することにより、当
された駆動電圧−（Ｖ２−Ｖ３）
第１の表示状態（「明」状態）を維持するように
第１番目のフイールドＴＦ１に続く第２番目のフイールドＴＦ２
第１番目
駆動電圧（Ｖ１−Ｖ３）
にかつ
第２の
−ＶＴＨ
の値にまで立ち下がる駆動電圧−（Ｖ１＋Ｖ３）
駆動電極に
することにより、
当該駆動電極に対応する部分の
第２の表示状態（「暗」状態）に
の間
第２の駆動電圧Ｖ３及び第３の駆動電圧Ｖ２に基づいて
かつ第１のしきい値ＶＴＨ以上の値にまで
駆動電圧（Ｖ２＋Ｖ３）
駆動電極
することにより、当該印加された駆動電圧（Ｖ２＋Ｖ３）
第１の表示状態（「明」状態）を維持するように選択すると共に、第１番目のフイールドＴＦ１及び第２番目のフイールドＴＦ２の非選択期間ＴＮＳＥＬにおいて、各画素以外の画素についての初期化期間及び表示状態選択期間ごとに、第２の駆動電圧Ｖ３に基づいて、第１のしきい値電圧ＶＴＨ以下の値の駆動電圧Ｖ３及び第２のしきい値電圧−ＶＴＨ以上の値の駆動電圧−Ｖ３を、その順序で、又はその逆の順序で、駆動電極に印加し、又は、各画素を第２の表示状態（「暗」状態）に設定するとき、第１番目のフイールドＴＦ１において、初期化期間の間、第１の駆動電圧Ｖ１及び第２の駆動電圧Ｖ３に基づいて液晶の第１のしきい値電圧ＶＴＨ以上の値にまで立ち上がる駆動電圧（Ｖ１＋Ｖ３）を駆動電極に印加することにより、液晶の当該駆動電極に対応する部分の表示状態を第１の表示状態（「明」状態）に初期化した後、続く表示状態選択期間の間、第２の駆動電圧Ｖ３及び第３の駆動電圧Ｖ２に基づいて初期化期間とは逆方向にかつ液晶の第２のしきい値電圧−ＶＴＨ以下に立ち下がる駆動電圧−（Ｖ２＋Ｖ３）を駆動電極に印加することにより、当該印加された駆動電圧−（Ｖ２＋Ｖ３）に応じて液晶の表示状態を第２の表示状態（「暗」状態）を維持するように選択し、第１番目のフイールドＴＦ１に続く第２番目のフイールドＴＦ２において、第１番目のフイールドＴＦ１の初期化期間で印加した駆動電圧（Ｖ１＋Ｖ３）と逆極性にかつ液晶の第２のしきい値電圧−ＶＴＨ以下の値にまで立ち下がる駆動電圧−（Ｖ１−Ｖ３）を駆動電極に印加することにより、液晶の当該駆動電極に対応する部分の表示状態を第２の表示状態（「暗」状態）に初期化した後、続く表示状態選択期間の間、第２の駆動電圧Ｖ３及び第３の駆動電圧Ｖ２に基づいて初期化期間とは逆方向にかつ第１のしきい値ＶＴＨ以下の値にまで立ち上がる駆動電圧（Ｖ２−Ｖ３）を駆動電極に印加することにより、当該印加された駆動電圧（Ｖ２−Ｖ３）に応じて液晶の表示状態を第１の表示状態（「明」状態）を維持するように選択すると共に、第１番目のフイールドＴＦ１及び第２番目のフイールドＴＦ２の非選択期間ＴＮＳＥＬにおいて、各画素以外の画素についての初期化期間及び表示状態選択期間ごとに、第２の駆動電圧Ｖ３に基づいて、第１のしきい値電圧ＶＴＨ以下の値の駆動電圧Ｖ３及び第２のしきい値電圧−ＶＴＨ以上の値の駆動電圧−Ｖ３を、その順序で、又はその逆の順序で、駆動電極に印加し、これにより、各画素を第１の表示状態（「明」状態）又は第２の表示状態（「暗」状態）に設定するとき、それぞれ
番目
番目
Ｆ作用
　第１及び第２のフイールド（ＴＦ１）及び（ＴＦ２）間で、逆極性の電圧を印加した後表示状態を選択し、印加電圧の直流レベルＶ１−Ｖ２、−（Ｖ１−Ｖ２）を打ち消し合うようにすれば、１フイールドの期間の間で表示画像を書き換えることができる。
Ｇ実施例
　以下図面について、本発明の一実施例を詳述する。
　この実施例においては、走査電極Ｘ１、Ｘ２、……、ＸＫ、……、ＸＮ−１、ＸＮ及び信号電極　Ｙ１、Ｙ２、……、ＹＩ、……、ＹＪ、……、ＹＭ−１、ＹＭに、第１図に示すような駆動信号……、ＳＸＫ、ＳＸＫ＋１、……及び……、ＳＹＩ、ＳＹＩ＋１、……を印加し、これにより１フイールドの期間の間で、表示画像を書き換えるようにする。
　すなわち走査電極Ｘ１、Ｘ２、……、ＸＫ、……、ＸＮ−１、ＸＮにおいては、第１のフイールドの期間ＴＦ１の間、選択期間ＴＳＥＬの前半で電圧Ｖ１に立ち上がった後、続く後半で電圧−Ｖ２に立ち下がり、続く第２のフイールドの期間ＴＦ２の間、選択期間ＴＳＥＬの前半で電圧−Ｖ１に立ち下がった後、続く後半で電圧Ｖ２に立ち上がる駆動信号ＳＸＫ、ＳＸＫ＋１（第１図（Ａ１）及び（Ａ２））を与える。
　これに対して非選択期間ＴＮＳＥＬにおいては、電圧を０〔Ｖ〕の保持するように駆動信号……、ＳＸＫ、ＳＸＫ＋１、……を選定する。
　従つて駆動信号ＳＸＫ、ＳＸＫ＋１においては、第１のフイールドにおいては、選択期間ＴＳＥＬの間電圧Ｖ１＋Ｖ２だけ直流レベルが上昇するのに対し、続く第２のフイールドにおいては、これとは逆に選択期間ＴＳＥＬの間電圧−（Ｖ１＋Ｖ２）だけ直流レベルが降下し、これにより連続する第１及び第２のフイールドで、直流レベルが０レベルになるようになされている。
　これに対して信号電極Ｙ１、Ｙ２、……、ＹＩ、……、ＹＪ、……、ＹＭ−１、ＹＭのオン信号ＳＯＮにおいては、第１及び続く第２のフィールドの期間ＴＦ１及びＴＦ２の間、選択期間ＴＳＥＬの前半で電圧Ｖ３に立ち上がった後、続く後半で電圧−Ｖ３に立ち下がる駆動信号ＳＹＩ、ＳＹＩ＋１（第１図（Ｂ１）及び（Ｂ２））を与える。
　さらにオフ信号ＳＯＦＦにおいては、第１及び続く第２のフイールドの期間ＴＦ１及びＴＦ２の間、選択期間ＴＳＥＬの前半で電圧−Ｖ３に立ち下がつた後、続く後半で電圧Ｖ３に立ち上がるようにする。
　従つて第２図に示すように、選択期間ＴＳＥＬの間、オン信号ＳＯＮが与えられた画素においては、当該画素を構成する強誘電体液晶に、第１のフイールドの期間ＴＦ１の間、選択期間ＴＳＥＬの前半で電圧Ｖ１−Ｖ３に立ち上がつた後、続く後半で電圧−（Ｖ２−Ｖ３）に立ち下がる電圧ΔＶが印加される（第２図（Ａ））。
　さらに当該画素においては、続く第２のフイールドの期間ＴＦ２の間、選択期間ＴＳＥＬの前半で電圧−（Ｖ１＋Ｖ３）に立ち下がつた後、続く後半で電圧Ｖ２＋Ｖ３に立ち上がる電圧ΔＶが印加される。
　これに対して非選択期間ＴＮＳＥＬにおいては、電圧Ｖ３及び電圧−Ｖ３の間で変動する電圧ΔＶが印加される。
　これとは逆に第３図に示すように、選択期間ＴＳＥＬの間、オフ信号ＳＯＦＦが選択された画素においては、当該画素を構成する強誘電体液晶に、第１のフイールドの期間ＴＦ１の間、選択期間ＴＳＥＬの前半で電圧Ｖ１＋Ｖ３に立ち上がった後、続く後半で電圧−（Ｖ２＋Ｖ３）に立ち下がる電圧ΔＶが印加される（第３図（Ａ））。
　さらに当該画素においては、続く第２のフイールドの期間ＴＦ２の間、選択期間ＴＳＥＬの前半で電圧−（Ｖ１−Ｖ３）に立ち下がった後、続く後半で電圧Ｖ２−Ｖ３に立ち上がる電圧ΔＶが印加される。
　これに対して非選択期間ＴＮＳＥＬにおいては、電圧Ｖ３及び電圧−Ｖ３の間で変動する電圧ΔＶが印加される。
　従つて液晶の印加電圧ΔＶにおいては、第１のフイールドにおいて電圧Ｖ１−Ｖ２だけ直流レベルが上昇するのに対し、続く第２のフイールドにおいて逆に電圧−（Ｖ１−Ｖ２）だけ直流レベルが降下し、これにより印加電圧ΔＶにおいては２フイールド周期で直流レベルが変動し、連続する第１及び第２のフイールドで直流レベルを打ち消し合うようになされている。
　さらにこの実施例においては、電圧Ｖ１、Ｖ２及びＶ３を強誘電体液晶のしきい値電圧ＶＴＨ、−ＶＴＨに対して、次式
　Ｖ１−Ｖ３≧ＶＴＨ　　　　　　　……（１）
　Ｖ２＋Ｖ３≧ＶＴＨ　　　　　　　……（２）
　Ｖ２＜ＶＴＨ　　　　　　　　　　……（３）
に選定するようになされている。
　これにより選択期間ＴＳＥＬの間、オン信号ＳＯＮが与えられた画素においては、第１のフイールドの期間ＴＦ１の間、選択期間ＴＳＥＬの前半で印加電圧ΔＶがしきい値電圧ＶＴＨよりも高い電圧Ｖ１−Ｖ３に立ち上がることにより、表示状態が明の表示状態に切り換わった後、続く後半でしきい値電圧−ＶＴＨよりも高い電圧−（Ｖ２−Ｖ３）に保持されることから、明の表示状態に保持される（第２図（Ｂ））。
　さらに、続く第２のフイールドの期間ＴＦ２の間印加電圧ΔＶが、選択期間ＴＳＥＬの前半でしきい値電圧−ＶＴＨよりも低い電圧−（Ｖ１＋Ｖ３）に立ち下がることにより、暗い表示状態に切り換わった後、続く後半でしきい値電圧ＶＴＨよりも高い電圧Ｖ２＋Ｖ３に立ち上がることにより、明の表示状態に切り換わり、当該表示状態を保持する。
　これとは逆に選択期間ＴＳＥＬの間、オフ信号ＳＯＦＦが与えられた画素においては、印加電圧ΔＶが第１のフイールドの期間ＴＦ１の間、選択期間ＴＳＥＬの前半でしきい値電圧ＶＴＨよりも高い電圧電圧Ｖ１＋Ｖ３に立ち上がることにより、明の表示状態に切り換わり又は保持された後、続く後半でしきい値電圧−ＶＴＨよりも低い電圧−（Ｖ２＋Ｖ３）に立ち下がることにより、暗い表示状態に切り換わり、当該第１のフイールドの期間ＴＦ１の間、暗い表示状態に保持される（第３図（Ｂ））。
　さらに、続く第２のフイールドの期間ＴＦ２の間、印加電圧ΔＶが、選択期間ＴＳＥＬの前半でしきい値電圧−ＶＴＨよりも低い電圧−（Ｖ１−Ｖ３）に立ち下がることにより、暗い表示状態に保持され後、続く後半でしきい値電圧ＶＴＨよりも低い電圧Ｖ２−Ｖ３に立ち上がることにより、暗い表示状態に保持される。
　かくして、第１及び第２のフイールドで、極性及び直流レベルが反転した電圧を印加すると共に、連続する２つのフイールドで直流レベルを打ち消し合うことにより、選択期間ＴＳＥＬの前半で表示状態を明又は暗の表示状態に初期化した後、続く後半で所望の表示状態を選択し得、これにより１フイールドの期間の間で、所望の表示画像を形成することができる。
　従つてその分、従来に比して表示画像の書き換え時間を短縮することができる。
　実際上この種の強誘電体液晶においては、２フイールド程度の周期で直流レベルが変動しても、電気分解を有効に回避して、表示画像を形成することができる。
　かくしてこの実施例において、選択期間ＴＳＥＬの前半は、液晶の表示状態を初期化する初期化期間を構成するのに対し、選択期間ＴＳＥＬの後半は、初期化期間と逆方向に変化する電圧を印加し、該印加電圧に応じて上記液晶の表示状態を選択する表示状態選択期間を構成する。
　以上の構成によれば、走査電極Ｘ１、Ｘ２、……、ＸＫ、……、ＸＮ−１、ＸＮの駆動信号……、ＳＸＫ、ＳＸＫ＋１、……を、第１及び第２のフイールドの選択期間ＴＳＥＬで直流レベルが打ち消し合うように、所定レベルだけ逆方向に変化するように選定し、印加電圧の直流レベルを連続するフイールドで打ち消し合うようにしたことにより、選択期間ＴＳＥＬの前半で表示状態を明又は暗の表示状態に初期化した後、続く後半で所望の表示状態を選択し得、これにより１フイールドの期間の間で、所望の表示画像を形成することができる。
　従つてその分、従来に比して表示画像の書き換え時間を短縮することができる。
　なお上述の実施例においては、液晶の印加電圧を立ち上げて明の表示状態得る場合について述べたが、本発明はこれとは逆に、液晶の印加電圧を立ち上げて暗の表示状態を得るようにしてもよい。
　さらに上述の実施例においては、非選択期間の間、走査電極の駆動信号を０〔Ｖ〕に保持する場合について述べたが、本発明はこれに限らず、種々の駆動信号に広く適用することができる。
　さらに上述の実施例においては、選択期間の間、走査電極の駆動信号について、直流レベルが打ち消し合うように、所定レベルだけ逆方向に変化させた場合について述べたが、本発明はこれに限らず、信号電極の駆動信号について、直流レベルが打ち消し合うように、所定レベルだけ逆方向に変化させる場合、さらには走査電極及び信号電極双方の所定レベル変化させて、連続するフイールドで印加電圧の直流レベルを０レベルに保持するようにしても良い。
　さらに上述の実施例においては、選択期間を前半と後半に分割し、それぞれ初期化期間及び表示状態選択期間に割り当てた場合について述べたが、本発明はこれに限らず必要に応じて初期化期間及び表示状態選択期間の比を所望の比率に選定するようにしても良い。
Ｈ発明の効果
　上述のように本発明によれば、連続するフイールドで印加電圧の直流レベルを０レベルに保持するように、第１
番目
番目
【図面の簡単な説明】
　第１図は本発明の一実施例による走査電極及び信号電極の駆動信号を示す信号波形図、第２図及び第３図は液晶の印加電圧及び表示状態を示す信号波形図、第４図は液晶表示素子の構造を示す略線図、第５図及び第６図はその駆動信号を示す信号波形図である。
　１……液晶表示素子、Ｘ１、Ｘ２、……、ＸＫ、……、ＸＮ−１、ＸＮ……走査電極、Ｙ１、Ｙ２、……、ＹＩ、……、ＹＪ、……、ＹＭ−１、ＹＭ……信号電極。